(57)【要約】【課題】スライド式の引き戸を開閉するときに傾くことなくスムーズな開閉操作を可能とする。【解決手段】本体に開設された開口部の内周にレール２，３が配設され、該レール２，３に沿って前後一対の引き戸１０，１１がスライド可能に支持される。前側の引き戸１０の裏面側に、スライド方向に沿う凹溝１０ｅが設けられると共に、裏側の引き戸１１の表面側に、スライド方向に沿う凸条１１ｄが設けられる。そして、凹溝１０ｅに凸条１１ｄをスライド可能に嵌合させることで、両引き戸１０，１１は傾くことなくスムーズに開閉される。【選択図】　図１
2004003196.tif 000002
【特許請求の範囲】
【請求項１】
本体（１ａ）に開設された開口部（１ｂ）の内周にレール（２，３）を配設し、該レール（２，３）に沿って前後一対の引き戸（１０〜１７，２０〜２７）をスライド可能に支持するよう構成した引き戸構造において、
前側の引き戸（１０，１２，１４，１６，２０，２２，２４，２６）の裏面側に、前記スライド方向に沿う凸条（１２ｄ，１６ｇ，２２ｄ，２６ｇ）または凹溝（１０ｅ，１４ｅ，１６ｆ，２０ｅ，２４ｅ，２６ｆ）を設け、該凸条（１２ｄ，１６ｇ，２２ｄ，２６ｇ）または凹溝（１０ｅ，１４ｅ，１６ｆ，２０ｅ，２４ｅ，２６ｆ）を、裏側に配置される別の引き戸（１１，１３，１５，１７，２１，２３，２５，２７）に設けられた凹溝（１３ｅ，１７ｅ，２３ｅ，２７ｅ）または凸条（１１ｄ，１５ｄ，１７ｄ，２１ｄ，２５ｄ，２７ｄ）とスライド可能に嵌合させるよう構成した
ことを特徴とする引き戸構造。
【請求項２】
前記凸条（１２ｄ，１６ｇ，２２ｄ，２６ｇ，１１ｄ，１５ｄ，１７ｄ，２１ｄ，２５ｄ，２７ｄ）または凹溝（１０ｅ，１４ｅ，１６ｆ，２０ｅ，２４ｅ，２６ｆ，１３ｅ，１７ｅ，２３ｅ，２７ｅ）は、引き戸（１０〜１７，２０〜２７）の上端部（２０ａ，２１ａ，２２ａ，２３ａ，２４ａ，２５ａ，２６ａ，２７ａ）または下端部（１０ｂ，ｌｌｂ，１２ｂ，１３ｂ，１４ｂ，１５ｂ，１６ｂ，１７ｂ）に設けられる請求項１記載の引き戸構造。
【発明の詳細な説明】
【０００１】
【発明の属する技術分野】
本発明は、ショーケース等に用いる引き戸構造に関し、更に詳細には、スムーズにスライドさせることが可能な引き戸構造に関するものである。
【０００２】
【従来の技術】
図９は、冷蔵ショーケースの正面図である。この冷蔵ショーケース１は、その本体１ａに内部画成した冷蔵室前部に開設した開口部１ｂの内周上下に、上レール（レール）２と下レール（レール）３とを備え、上下レール２，３間に、引き戸、この例ではスライド式の一対のガラス扉４，５をスライド可能に装着するようになっている。そして、前後に位置するガラス扉４，５を通して冷蔵室内の商品を選択した客が、ガラス扉４，５を左右にスライドさせて開口部１ｂを開閉し、冷蔵室内の商品を取り出すよう構成される。
【０００３】
図１０（ａ）は、ガラス扉４，５を冷蔵ショーケース１に取り付けるときの状態を示す図であり、上レール２には、スライド方向に延びるレール孔２ａが前後に離間して２条平行に設けられており、下レール３には、スライド方向に延びる突条３ａが同じく前後に離間して２条平行に設けられている。そして、後側（冷蔵室内側）のガラス扉５における上端部５ａを後側のレール孔２ａ内に挿入し、次にガラス扉５の下端部５ｂ下端に設けられている凹溝５ｃを、後側の突条３ａに跨がせることで、ガラス扉５が上下レール２，３間に装着される。次に、同様にして、前側のガラス扉４を上下レール２，３間に装着することで、図１０（ｂ）に示す略直立した状態となる。
【０００４】
【発明が解決しようとする課題】
前記ガラス扉４，５の夫々の上端部４ａ，５ａの長さは、ガラス扉４，５を上下レール２，３間に装着するときに、一旦上方に持ち上げて下端部４ｂ，５ｂを突条３ａ，３ａ上に載せる必要があるため、図１０（ｂ）に示すように、長さＬ分だけ遊び代が設けられている。このため、図１１（ａ）や図１１（ｂ）に示すように、ガラス扉４の上部（図のＡ点）を持って開口部１ｂの開閉を行なったり、あるいは、ガラス扉４の下部（図のＢ点）を持って開口部１ｂの開閉を行なうと、前記の遊び代に起因してガラス扉４が図示するように傾いてしまい、スムーズな開閉操作が阻害されてしまうという問題がある。
【０００５】
【発明の目的】
本発明は、従来の技術に係る引き戸構造に内在している前記欠点に鑑み、これを好適に解決するべく提案されたものであって、スライド式の引き戸を開閉するときに傾くことなくスムーズな開閉操作を可能とする引き戸構造を提供することを目的とする。
【０００６】
【課題を解決するための手段】
前記課題を解決し、所期の目的を達成するため、本発明に係る引き戸構造は、本体に開設された開口部の内周にレールを配設し、該レールに沿って前後一対の引き戸をスライド可能に支持するよう構成した引き戸構造において、
前側の引き戸の裏面側に、前記スライド方向に沿う凸条または凹溝を設け、該凸条または凹溝を、裏側に配置される別の引き戸に設けられた凹溝または凸条とスライド可能に嵌合させるよう構成したことを特徴とする。
【０００７】
【発明の実施の形態】
次に、本発明に係る引き戸構造につき、好適な実施例を挙げて、添付図面を参照しながら以下説明する。実施例に係る引き戸構造が採用される冷蔵ショーケースの基本的な構成は、図９を参照して従来の技術で説明した通りであるので、同一部材には同じ符号を付して詳細説明は省略する。
【０００８】
【第１実施例】
図１（ａ），（ｂ）は、本発明の第１実施例に係る引き戸構造を示す構成図である。第１実施例に係る前側に設けられる引き戸１０は、前記上レール２のスライド方向に延びるレール孔２ａ内に挿入される上端部１０ａと、下レール３の突条３ａ上に摺動可能に載せられる下端部１０ｂとを備える。下端部１０ｂの下端には、突条３ａを跨ぐように載せられる凹部１０ｃが設けられると共に、該下端部１０ｂの表面側（冷蔵室外側）には、スライド方向に沿って延びる凸条１０ｄが設けられ、更に下端部１０ｂの裏面側には、スライド方向に沿って延びる凹溝１０ｅが設けられている。この第１実施例では、凸条１０ｄの断面は矩形形状をなし、凹溝１０ｅの断面も矩形形状をなしている。
【０００９】
前記上下レール２，３間の後側に設けられる引き戸１１も、前側の引き戸１０と同一の構成を備えるものであって、上端部１１ａと、下端部１１ｂとを有し、その下端部１１ｂの下端に凹部１１ｃが設けられると共に、表面側に断面矩形の凸条１１ｄが、また裏面側に断面矩形の凹溝１１ｅが設けられる。そして、後側引き戸１１の凸条１１ｄは、前側引き戸１０側の凹溝１０ｅに摺動可能に嵌合するようになっている。
【００１０】
前述した引き戸１０，１１を上レール２と下レール３との間に装着する場合には、図１（ａ）に示すように、前側引き戸１０と後側引き戸１１とを前後に重ね合わせて、後側引き戸１１の凸条１１ｄを前側引き戸１０の凹溝１０ｅに嵌合させた状態で２枚重ねとし、前記上端部１０ａ，１１ａを、上レール２における２条のレール孔２ａ，２ａ内に挿入する。そして、２枚の引き戸１０，１１を持ち上げて夫々の凹部１０ｃ，１１ｃが下レール３の突条３ａ，３ａ上に跨るように載せることで、図１（ｂ）に示すような略直立した状態となり、引き戸１０，１１の装着作業が終了する。
【００１１】
図２は、第１実施例に係る引き戸構造の第１変形例を示す断面図である。図１に示す第１実施例では、後側引き戸１１の表面側に凸条１１ｄを設け、前側引き戸１０の裏面側に凹溝１０ｅを設けたが、この第１変形例では、前側引き戸１２における下端部１２ｂの裏面側に凸条１２ｄを設け、後側引き戸１３における下端部１３ｂの表面側に凹溝１３ｅを設け、前後に対向する凸条１２ｄと凹溝１３ｅとをスライド可能に嵌合させるようにしている。他の構成は、第１実施例と同じである。
【００１２】
図３は、第１実施例に係る引き戸構造の第２変形例を示す断面図である。この変形例では、引き戸１４，１５の下端部１４ｂ，１５ｂに設ける凸条１４ｄ，１５ｄおよび凹溝１４ｅ，１５ｅの断面形状を小さな三角状とした点が第１実施例と異なり、他の点は同じである。なお、凸条１４ｄ，１５ｄおよび凹溝１４ｅ，１５ｅの形成面を、第１変形例のように表裏逆とすることも可能である。
【００１３】
図４は、第１実施例に係る引き戸構造の第３変形例を示す断面図である。この変形例では、引き戸１６，１７の下端部１６ｂ，１７ｂの表面側に、断面半円形の凸条１６ｄ，１７ｄと、これに隣接して断面半円形の凹溝１６ｅ，１７ｅを平行に設ける。また、引き戸１６，１７の下端部１６ｂ，１７ｂの裏面側にも、断面半円形の凹溝１６ｆ，１７ｆと、これに隣接して断面半円形の凸条１６ｇ，１７ｇを平行に設けている。そして、２枚の引き戸１６，１７を重ねたときに、前後に対向する凸条１７ｄと凹溝１６ｆとがスライド可能に嵌合すると共に、同じく前後に対向する凹溝１７ｅと凸条１６ｇとがスライド可能に嵌合するようになっている。なお、他の構成は、第１実施例と同じである。
【００１４】
【第２実施例】
図５（ａ），（ｂ）は、本発明の第２実施例に係る引き戸構造を示す構成図である。前記第１実施例では、スライド可能に嵌合する凸条および凹溝を、引き戸の下端部に設けたが、第２実施例では、引き戸の上端部に設けた点が異なり、その他の構成は同一である。
【００１５】
第２実施例の前側に設けられる引き戸２０は、上レール２のスライド方向に延びるレール孔２ａ内に挿入される上端部２０ａと、下レール３の突条３ａ上に摺動可能に載せられる下端部２０ｂとを備える。下端部２０ｂの下端には、突条３ａを跨ぐように載せられる凹部２０ｃが設けられると共に、上端部２０ａの表面側には、スライド方向に沿って延びる凸条２０ｄが設けられている。また、上端部２０ａの裏面側には、スライド方向に沿って延びる凹溝２０ｅが設けてある。この第２実施例では、第１実施例と同様に、凸条２０ｄの断面は矩形形状をなし、凹溝２０ｅの断面も矩形形状をなしている。
【００１６】
前記上下レール２，３間の後側に設けられる引き戸２１も、前側の引き戸２０と同一構成を備えるものであって、上端部２１ａと、下端部２１ｂとを有し、その下端部２１ｂの下端に凹部２１ｃが設けられると共に、上端部２１ａには、その表面側に断面矩形の凸条２１ｄが、また裏面側に断面矩形の凹溝２１ｅが設けられている。なお、後側引き戸２１の凸条２１ｄは、前側引き戸２０の凹溝２０ｅに摺動可能に嵌合するようになっている。
【００１７】
前述した引き戸２０，２１を上レール２と下レール３との間に装着する場合には、図５（ａ）に示すように、前側引き戸２０と後側引き戸２１とを前後に重ね合わせて後側引き戸２１の凸条２１ｄを前側引き戸２０の凹溝２０ｅに嵌合させた状態で２枚重ねとし、上端部２０ａ，２１ａを、上レール２の２条のレール孔２ａ，２ａ内に挿入する。そして、２枚の引き戸２０，２１を持ち上げて夫々の凹部２０ｃ，２１ｃが下レール３の突条３ａ，３ａ上に跨るように載せることで、図５（ｂ）に示すような略直立した状態となり、引き戸２０，２１の装着作業が終了する。
【００１８】
図６は、第２実施例に係る引き戸構造の第１変形例を示す断面図である。図５に示す第２実施例では、後側引き戸２１の表面側に凸条２１ｄを設け、前側引き戸２０の裏面側に凹溝２０ｅを設けたが、この第１変形例では、前側引き戸２２における上端部２２ａの裏面側に凸条２２ｄを設け、後側引き戸２３における上端部２３ａの表面側に凹溝２３ｅを設け、前後に対向する凸条２２ｄと凹溝２３ｅとをスライド可能に嵌合させるよう構成している。その他の構成は、第２実施例と同じである。
【００１９】
図７は、第２実施例に係る引き戸構造の第２変形例を示す断面図である。この変形例では、引き戸２４，２５の上端部２４ａ，２５ａに設ける凸条２４ｄ，２５ｄおよび凹溝２４ｅ，２５ｅの断面形状を小さな三角状とした点が第２実施例と異なり、他の点は同じである。なお、凸条２４ｄ，２５ｄおよび凹溝２４ｅ，２５ｅの形成面を、第１変形例のように表裏逆とすることも可能である。
【００２０】
図８は、第２実施例に係る引き戸構造の第３変形例を示す断面図である。この変形例では、引き戸２６，２７の上端部２６ａ，２７ａの表面側に、断面半円形の凸条２６ｄ，２７ｄと、これに隣接する断面半円形の凹溝２６ｅ，２７ｅを平行に設けている。また、引き戸２６，２７の上端部２６ａ，２７ａの裏面側にも、断面半円形の凹溝２６ｆ，２７ｆと、これに隣接する断面半円形の凸条２６ｇ，２７ｇを平行に設けている。そして、２枚の引き戸２６，２７を重ねたときに、前後に対向する凸条２７ｄと凹溝２６ｆとがスライド可能に嵌合すると共に、同じく前後に対向する凹溝２７ｅと凸条２６ｇとがスライド可能に嵌合するようになっている。他の構成は、第２実施例と同じである。
【００２１】
【実施例の作用】
次に、実施例に係る引き戸構造の作用につき説明する。
【００２２】
図１に示す第１実施例に係る引き戸１０，１１を、上レール２と下レール３との間に装着すると、前後に対向する凸条１１ｄと凹溝１０ｅとがスライド可能に嵌合した状態になる。ここで、例えば前側引き戸１０を開閉するために横方向にスライドさせると、該引き戸１０は前記突条３ａ上を摺動し、同時に、凹溝１０ｅが凸条１１ｄに対して嵌合しながらスライド方向に摺動する。このため、前側引き戸１０に加わる力が上部側や下部側に偏って図１１に示されるように引き戸１０が傾こうとしても、該引き戸１０は凸条１１ｄおよび凹溝１０ｅを介して後側引き戸１１の荷重を受け、容易には傾かず、レール２，３と平行に保たれる。これにより、前側引き戸１０はスムーズに開閉し、開閉操作感が阻害されることはない。なお、後側引き戸１１を開閉する際には、凹溝１０ｅおよび凸条１１ｄを介して前側引き戸１０の荷重を受け、該引き戸１１は傾くことなくスムーズに開閉される。
【００２３】
図２，図３，図４に示す変形例も第１実施例と同様であり、前後に隣接する引き戸間の凸条と凹溝とがスライド可能に嵌合状態を維持するため、開閉する側の引き戸がレール２，３に対して平行に保たれ、スムーズに開閉することが可能となる。
【００２４】
図５に示す第２実施例に係る引き戸２０，２１やその変形例に係る引き戸（図６，図７，図８）の場合も、前後に隣接する引き戸間でスライド可能に嵌合する凸条および凹溝が引き戸の上端部にある点が第１実施例や変形例と異なるだけであり、その作用は同じである。
【００２５】
なお、前述した実施例では、互いにスライド可能に嵌合する凸条および凹溝を引き戸の上端部または下端部に設けたが、勿論、上端部と下端部の両方に設けてもよいことはいうまでもない。また、上端部や下端部に限るものではなく、引き戸の真ん中に、互いにスライド可能に嵌合する凸条および凹溝を設けることでもよい。更に、凸条はスライド方向に連続している必要はなく、離散的な突起を列条に配置する構成でもよい。更にまた、前述した各実施例や変形例では、上端部または下端部の表裏両側に凸条や凹溝を設けた場合で説明したが、少なくとも前後に対向する側に設けられていればよい。また本発明に係る引き戸構造は、実施例のような冷蔵ショーケースに限らず、本体に開設した開口部を引き戸により開閉する構成のものであれば、その利用分野は限定されるものではない。
【００２６】
【発明の効果】
以上に説明したように、本発明に係る引き戸構造によれば、前側の引き戸の裏面側に設けた凸条または凹溝を、裏側に配置される別の引き戸に設けた凹溝または凸条にスライド可能に嵌合させるよう構成したので、一方の引き戸を開閉するときに該引き戸が傾こうとした場合、この引き戸に隣接する他の引き戸の荷重が、嵌合する凸条および凹溝を介して引き戸に加わるため、引き戸は容易に傾くことなくレールに対して平行に維持される。すなわち、引き戸の開閉操作時に引き戸が傾くことがなくなるため、引き戸の開閉操件感が阻害されず、スムーズな開閉が可能となる。
【図面の簡単な説明】
【図１】本発明の第１実施例に係る引き戸構造の構成図である。
【図２】第１実施例に係る引き戸構造の第１変形例を示す要部断面図である。
【図３】第１実施例に係る引き戸構造の第２変形例を示す要部断面図である。
【図４】第１実施例に係る引き戸構造の第３変形例を示す要部断面図である。
【図５】本発明の第２実施例に係る引き戸構造の構成図である。
【図６】第２実施例に係る引き戸構造の第１変形例を示す要部断面図である。
【図７】第２実施例に係る引き戸構造の第２変形例を示す要部断面図である。
【図８】第２実施例に係る引き戸構造の第３変形例を示す要部断面図である。
【図９】引き戸を備える冷蔵ショーケースの正面図である。
【図１０】従来の引き戸構造の構成図である。
【図１１】従来の引き戸構造の問題点を説明する図である。
【符号の説明】
１ａ本体，１ｂ　開口部，２　上レール（レール），３　下レール（レール）
１０，１２，１４，１６，２０，２２，２４，２６　前側の引き戸
１１，１３，１５，１７，２１，２３，２５，２７　後側の引き戸
２０ａ，２１ａ，２２ａ，２３ａ，２４ａ，２５ａ，２６ａ，２７ａ　上端部
１０ｂ，１１ｂ，１２ｂ，１３ｂ，１４ｂ，１５ｂ，１６ｂ，１７ｂ　下端部
１１ｄ，１２ｄ，１５ｄ，１６ｇ，１７ｄ，２１ｄ，２２ｄ，２５ｄ，２６ｇ，２７ｄ
凸条
１０ｅ，１３ｅ，１４ｅ，１７ｅ，１６ｆ，２０ｅ，２３ｅ，２４ｅ，２６ｆ，２７ｅ
凹溝
【図１】
2004003196.tif 000003
【図２】
2004003196.tif 000004
【図３】
2004003196.tif 000005
【図４】
2004003196.tif 000006
【図５】
2004003196.tif 000007
【図６】
2004003196.tif 000008
【図７】
2004003196.tif 000009
【図８】
2004003196.tif 000010
【図９】
2004003196.tif 000011
【図１０】
2004003196.tif 000012
【図１１】
2004003196.tif 000013